(57)【要約】      （修正有）【課題】加熱部で挟みつけている毛髪に対してスチームを当てることのできるヘアーアイロンを提供する。【解決手段】Ｖ字状に拡開可能に基端側で連結されている一対のアーム部２ａ、２ｂと、一対のアーム部に配備されている加熱手段によって加熱され、一対のアーム部の先端側にそれぞれ配備され互いに対向している一対の平板状の挟持部４ｂと、一対の平板状の挟持部の対向しているそれぞれの面に形成され基端側から先端側に向かって伸びる溝条５ｂと、アーム部の一方の側の他方の側のアーム部に対向する面の平板状の挟持部が配備されている位置よりも基端側に配備されていて、挟持部の基端側から先端側に向かう方向にスチームを吹き出すスチーム発生部６とを備える。【選択図】図２
0003204803.tif 000002
【実用新案登録請求の範囲】
【請求項１】
Ｖ字状に拡開可能に基端側で連結されている一対のアーム部と、
前記一対のアーム部に配備されている加熱手段によって加熱され、前記一対のアーム部の先端側にそれぞれ配備されている互いに対向している一対の平板状の挟持部と、
前記一対の平板状の挟持部の対向しているそれぞれの面に形成されている基端側から先端側に向かって伸びる溝条と、
前記アーム部の一方の側の他方の側のアーム部に対向する面の前記平板状の挟持部が配備されている位置よりも基端側に配備されていて、前記挟持部の基端側から先端側に向かう方向にスチームを吹き出すスチーム発生部と
を備えているヘアーアイロン。
【請求項２】
前記アーム部の他方の側は、前記一方の側のアーム部に対向する面に、前記一対のアーム部が閉じられて前記一対の挟持部が互いに当接する際に前記スチーム発生部を収容する窪み部を備えている
請求項１記載のヘアーアイロン。
【考案の詳細な説明】
【技術分野】
【０００１】
この考案は、熱による癖付けを毛髪に施して整髪を行うヘアーアイロンに関する。特に、加熱部で挟みつけている毛髪に対してスチームを当てることのできるヘアーアイロンに関する。
【背景技術】
【０００２】
従来から、Ｖ字状に拡開可能に基端側で連結されている一対のアーム部と、前記一対のアーム部に配備されている加熱手段によって加熱され、前記一対のアーム部の先端側にそれぞれ配備されている互いに対向している一対の平板状の挟持部とを備えているヘアーアイロンが知られている。
【０００３】
前記一対の挟持部で毛髪を挟み込み、挟み込んだ毛髪にカールやストレート状の癖付けを行うものである。
【０００４】
このようなヘアーアイロンにおいて前記一対の挟持部の一方に、前記挟み込んだ毛髪に対してスチームを噴出するスチーム発生部を備えたヘアーアイロンも提案されている（特許文献１）。
【先行技術文献】
【特許文献】
【０００５】
【特許文献１】特開２０１４−１５１１３９号公報
【考案の概要】
【考案が解決しようとする課題】
【０００６】
この考案は、加熱部で挟みつけている毛髪に対してスチームを当てることのできるヘアーアイロンを提案することを目的にしている。
【課題を解決するための手段】
【０００７】
Ｖ字状に拡開可能に基端側で連結されている一対のアーム部と、
前記一対のアーム部に配備されている加熱手段によって加熱され、前記一対のアーム部の先端側にそれぞれ配備されている互いに対向している一対の平板状の挟持部と、
前記一対の平板状の挟持部の対向しているそれぞれの面に形成されている基端側から先端側に向かって伸びる溝条と、
前記アーム部の一方の側の他方の側のアーム部に対向する面の前記平板状の挟持部が配備されている位置よりも基端側に配備されていて、前記挟持部の基端側から先端側に向かう方向にスチームを吹き出すスチーム発生部と
を備えているヘアーアイロン。
【０００８】
前記アーム部の他方の側は、前記一方の側のアーム部に対向する面に、前記一対のアーム部が閉じられて前記一対の挟持部が互いに当接する際に前記スチーム発生部を収容する窪み部を備えているヘアーアイロン。
【考案の効果】
【０００９】
この考案によれば、加熱部で挟みつけている毛髪に対してスチームを当てることのできるヘアーアイロンを提供することができる。
【図面の簡単な説明】
【００１０】
【図１】本考案の一実施形態に係るヘアーアイロンの側面図。
【図２】本考案の一実施形態ヘアーアイロンの上側方向から見た斜視図。
【図３】本考案の一実施形態ヘアーアイロンの下側方向から見た斜視図。
【考案を実施するための形態】
【００１１】
以下、添付図面を参照して本考案のヘアーアイロンの一実施形態を説明する。
【００１２】
ヘアーアイロン１は、一対のアーム部２ａ、２ｂを備えている。一対のアーム部２ａ、２ｂは、基端側の連結部３で連結されている。一対のアーム部２ａ、２ｂは、連結部３を中心として、矢印１１で示す方向及びこれの反対方向、矢印１２で示す方向及びこれの反対方向へ、Ｖ字状に拡開可能になっている。
【００１３】
一対のアーム部２ａ、２ｂにはそれぞれ一対の平板状の挟持部４ａ、４ｂが配備されている。一対の平板状の挟持部４ａ、４ｂは図１図示のように互いに対向している。挟持部４ａ、４ｂは、一対のアーム部２ａ、２ｂに配備されている加熱手段（不図示）によって加熱される。
【００１４】
不図示の加熱手段によって加熱されている状態の挟持部４ａ、４ｂの間に毛髪を挟み込み、当該挟み込んだ毛髪にカールやストレート状の癖付けを施すヘアーアイロンである。
【００１５】
平板状の各挟持部４ａ、４ｂの対向しているそれぞれの面には、それぞれ、基端側（連結部３が存在している側）から先端側（連結部３が存在している側に対向する側）に向かって伸びる溝条５ａ（図３）、溝条５ｂ（図２）が形成されている。
【００１６】
アーム部２ａの、アーム部２ｂに対向する面にはスチーム発生部６が配備されている。スチーム発生部６は、平板状の挟持部４ａが配備されている位置よりも基端側（連結部３が存在している側）に配備されている。スチーム発生部６は、先端側にスチーム吹き出し口（不図示）を備えており、挟持部４ａの基端側から先端側に向かう方向（図１に矢印１３で示す方向）にスチームを吹き出すようになっている。
【００１７】
一方、アーム部２ｂは、アーム部２ａに対向する面に、一対のアーム部２ａ、２ｂが矢印１１、１２で示す方向に閉じられて一対の挟持部４ａ、４ｂが互いに当接する際にスチーム発生部６を収容する窪み部７を備えている。
【００１８】
なお、図示の実施形態では、アーム部２ａにスチーム発生部６が、アーム部２ｂに窪み部７が配備されているが、これが逆になって、アーム部２ａに窪み部７が、アーム部２ｂにスチーム発生部６が配備されている構造にすることもできる。
【００１９】
スチーム発生部６の先端側に配備されているスチーム吹き出し口（不図示）は、一対のアーム部２ａ、２ｂが矢印１１、１２で示す方向に閉じられて一対の挟持部４ａ、４ｂが互いに当接して挟持部４ａ、４ｂの間に毛髪を挟み込んでいる状態で、挟持部４ａ、４ｂの対向しているそれぞれの面に配備されている溝条５ａ、５ｂ内に、スチームを、挟持部４ａ、４ｂの基端側から先端側に向かう方向（図１に矢印１３で示す方向）で吹き込む位置に形成されている。
【００２０】
この実施形態のヘアーアイロン１によれば、加熱されている状態の挟持部４ａ、４ｂの間に毛髪を挟み込み、当該挟み込んだ毛髪にカールやストレート状の癖付けを施す際に、スチーム発生部６から、挟持部４ａの基端側から先端側に向かう方向（図１に矢印１３で示す方向）でスチームを吹き出すことができる。
【００２１】
噴出されたスチームは、挟持部４ａ、４ｂに形成されている溝条５ａ、５ｂを通って、挟持部４ａ、４ｂの先端側に向かい、挟持部４ａ、４ｂに挟まれている毛髪の全体にスチームを供給することができる。
【００２２】
これによって、毛髪を潤いのある仕上がりにすることができる。
【００２３】
以上、添付図面を参照して本考案の好ましい実施形態を説明したが、本考案はかかる実施形態に限定されるものではなく、実用新案登録請求の範囲の記載から把握される技術的範囲において種々に変更可能である。
【符号の説明】
【００２４】
１    ヘアーアイロン
２ａ、２ｂ  アーム部
４ａ、４ｂ  平板状の挟持部
３    連結部
５ａ、５ｂ  溝条
６    スチーム発生部
７    窪み部
【図１】
0003204803.tif 000003
【図２】
0003204803.tif 000004
【図３】
0003204803.tif 000005